(57)【要約】      （修正有）【課題】容器先端部を切断した後でも、容器内に残った食品を密封して保存しておくことができる食品押出式チューブ容器を提供する。【解決手段】チューブ本体２のノズル４先端の口部４ａと、キャップ６の開口部６ｂとが、切除可能な中間連結部５を介して溶着されてなり、前記中間連結部５を切除することで、前記口部４ａ及び開口部６ｂがともに開放された状態となって前記チューブ本体２とキャップ６とが分離され、キャップ６の開口部６ｂをノズル４先端に被せて前記口部４ａを閉塞封止可能とする。【選択図】図２
0003198272.tif 000002
【実用新案登録請求の範囲】
【請求項１】
チューブ本体のノズル先端の口部と、キャップの開口部とが、切除可能な中間連結部を介して溶着されてなり、前記中間連結部を切除することで、前記口部及び開口部がともに開放された状態となって前記チューブ本体とキャップとが分離され、キャップの開口部をノズル先端に被せて前記口部を閉塞封止可能としたことを特徴とする食品押出式チューブ容器。
【請求項２】
頭部と円柱栓部とからなるキャップの当該頭部が、チューブ本体のノズル先端の口部を塞ぐように溶着されてなり、ノズル先端から頭部を切断することで、前記口部が開放された状態となって前記チューブ本体とキャップとが分離され、キャップの前記円柱栓部を前記ノズル先端の口部に挿し込んで当該口部を閉塞封止可能としたことを特徴とする食品押出式チューブ容器。
【請求項３】
頭部と楔型栓部とからなるキャップの当該頭部が、チューブ本体のノズル先端の口部を塞ぐように溶着されてなり、ノズル先端から頭部を切断することで、前記口部が開放された状態となって前記チューブ本体とキャップとが分離され、キャップの前記楔型栓部を前記ノズル先端の口部に挿し込んで当該口部を閉塞封止可能としたことを特徴とする食品押出式チューブ容器。
【請求項４】
前記キャップの外周面には、当該キャップを手指でもって捻るようにして切断するためのフランジ部が水平方向に形成されてなる請求項１乃至３のいずれか記載の食品押出式チューブ容器。
【考案の詳細な説明】
【技術分野】
【０００１】
本考案は、例えば、チョコレート等の半固形菓子等の食品を封入し、手指による圧潰操作で内部の半固形食品を押出可能とした合成樹脂製の食品押出式チューブ容器に関する。
【背景技術】
【０００２】
従来、食品押出式チューブ容器として、製菓用のチョコレートペンやデコレーションペンなるものが普及している。これはチョコレート等を封入する押し出し型式チューブであって、使う前にお湯で温めて中身を柔らかくし、チョコレートが排出される先端部をハサミや指で切断し、内部のチョコレートを搾り出す。このようにして、お菓子やケーキに絵を書いたり、色をつけたりすることができるものである。なお、チョコレート以外でも、ジャム（ジャムペン）など他の食品が使用される場合もある。
【考案の概要】
【考案が解決しようとする課題】
【０００３】
しかしながら、従来においては、上記先端部を一度切断してしまうと、元の状態に戻すことができず、そのため、一度使うと、チューブ容器の再度の密封が不可能となっていた。
【０００４】
そこで、本考案は上述のような従来存した諸事情に鑑み創出されたもので、容器先端部を切断した後でも、容器内に残ったチョコレートを密封して保存しておくことができる食品押出式チューブ容器を提供することを目的とする。
【課題を解決するための手段】
【０００５】
上述した課題を解決するために、本考案にあっては、チューブ本体のノズル先端の口部と、キャップの開口部とが、切除可能な中間連結部を介して溶着されてなり、前記中間連結部を切除することで、前記口部及び開口部がともに開放された状態となって前記チューブ本体とキャップとが分離され、キャップの開口部をノズル先端に被せて前記口部を閉塞封止可能としたことを特徴とする。
【０００６】
頭部と円柱栓部とからなるキャップの当該頭部が、チューブ本体のノズル先端の口部を塞ぐように溶着されてなり、ノズル先端から頭部を切断することで、前記口部が開放された状態となって前記チューブ本体とキャップとが分離され、キャップの前記円柱栓部を前記ノズル先端の口部に挿し込んで当該口部を閉塞封止可能としたことを特徴とする。
【０００７】
頭部と楔型栓部とからなるキャップの当該頭部が、チューブ本体のノズル先端の口部を塞ぐように溶着されてなり、ノズル先端から頭部を切断することで、前記口部が開放された状態となって前記チューブ本体とキャップとが分離され、キャップの前記楔型栓部を前記ノズル先端の口部に挿し込んで当該口部を閉塞封止可能としたことを特徴とする。
【０００８】
また、前記キャップの外周面には、当該キャップを手指でもって捻るようにして切断するためのフランジ部が水平方向に形成されてなる。
【考案の効果】
【０００９】
本考案によれば、容器先端部を切断した後でも、容器内に残ったチョコレートを密封して保存しておくことができる。すなわち、前記中間連結部を切除することで、前記口部及び開口部がともに開放された状態となって前記チューブ本体とキャップとが分離されるか、または、ノズル先端から頭部を切断することで、前記口部が開放された状態となって前記チューブ本体とキャップとが分離されるので、チューブ本体から分離したキャップにより容器内に残ったチョコレートを密封して保存しておくことができる。また、前記キャップの外周面には、当該キャップを手指でもって捻るようにして切断するためのフランジ部が水平方向に形成されているため、チューブ本体とキャップとの分離操作が容易に行える。
【図面の簡単な説明】
【００１０】
【図１】本考案を実施するための一形態における食品押出式チューブ容器を示すもので（ａ）は平面図、（ｂ）は側面図、（ｃ）は（ｂ）のＡ−Ａ断面図である。
【図２】食品押出式チューブ容器の使用方法の手順を示すもので、（ａ）は使用前（切断前）の平面図、（ｂ）はチューブ本体から中間連結部及びキャップを切断した状態の平面図、（ｃ）はチューブ本体の口部に、切断されているキャップを被せる前の状態の平面図、（ｄ）はチューブ本体の口部に、切断されているキャップを被せた状態の平面図である。
【図３】本実施形態の変形例を示すもので、（ａ）は使用前（切断前）の平面図、（ｂ）はチューブ本体からキャップを切断した状態の平面図、（ｃ）はチューブ本体の口部に、切断されているキャップを被せる前の状態の平面図、（ｄ）はチューブ本体の口部を、切断されているキャップで栓状に密封した状態の平面図である。
【図４】本実施形態の他の変形例を示すもので、（ａ）は使用前（切断前）の平面図、（ｂ）はチューブ本体からキャップを切断した状態の平面図、（ｃ）はチューブ本体の口部に、切断されているキャップを被せる前の状態の平面図、（ｄ）はチューブ本体の口部を、切断されているキャップで栓状に密封した状態の平面図である。
【考案を実施するための形態】
【００１１】
以下、図面を参照して本考案の実施の一形態を詳細に説明すると、本考案に係る食品押出式チューブ容器１を構成するペン型のチューブ本体２は、断面略六角形の筒状に形成されていて、例えば、チョコレートなどの、常温で固形の状態で加熱し、半固形のペースト状となる甘味菓子類の容器として使用される。
【００１２】
すなわち、本実施形態におけるペン型のチューブ本体２は、固形のチョコレートが封入されており、このチューブ本体２を約５０℃のお湯につけて、内部のチョコレートをペースト状に柔らかくしておき、チューブ本体２の先端の後述する中間連結部５を手指で切断して、塗布対称物（食品）表面にペンでなぞるようにしつつチューブ本体２を手指で圧潰して搾り出すことで使用される。
【００１３】
本実施形態におけるチューブ本体２は、図１に示すように、チューブ本体２の先端開口側に、前方に向けて次第に縮径されたスカート状筒部２ａが形成され、このスカート状筒部２ａの先端に小径筒状のノズル４が連設されてなる。
【００１４】
また、チューブ本体２の後端側には、底端部に丸みを帯びた細径の中空管部３を設けてあり、該中空管部３の側面には、チューブ本体２内部の負圧を防いで、内部のチョコレートの押出（スクイズ）をスムーズに行わせるためのエアー吸引用の逆支弁３ａが設けられている。なお、この逆支弁３ａは、スクイズ圧の加圧時に外気の流れを遮断し、スクイズ圧の解除時に外気を通気する目的で設けられるものである。
【００１５】
チューブ本体２は、図２に示すように、ノズル４先端の口部４ａと、キャップ６の開口部６ｂとが、中実の中間連結部５を介して溶着されており、前記口部４ａ及び開口部６ｂはこの中間連結部５によってともに閉塞された状態となっている。この場合、中間連結部５は、薄片状のフランジ部５ｃを介して小球部５ａと円錐部５ｂとが一体となるようにして形成されており、小球部５ａの周側面一部はノズル４先端の口部４ａを塞ぎ、円錐部５ｂの底面はキャップ６の開口部６ｂを塞いでいる。
【００１６】
さらに、図２に示すように、チューブ本体２のノズル４先端の口部４ａと中間連結部５の小球部５ａとの接続部分には薄肉で且つネック状となった第１括れ部７が形成され、中間連結部５の円錐部５ｂとキャップ６の開口部６ｂの接続部分には同じく薄肉で且つネック状となった第２括れ部８が形成されている。この場合、キャップ６の外周面には、薄片状のフランジ部６ａが水平方向に形成されており、また、ノズル４先端の口部４ａの外径は、キャップ６の開口部６ｂの内径と略同じサイズに設定されている。なお、これらチューブ本体２、中間連結部５、キャップ６は合成樹脂のモールド成形によって同時に一体となって形成されるものである。
【００１７】
次に、以上のように構成された形態についての使用の一例について説明すると、先ず、図２（ａ）及び図２（ｂ）に示すように、チューブ本体２のノズル４先端の口部４ａと中間連結部５との接続部分にある第１括れ部７を手指でもって折る（もしくは捻る）ようにして切断する。これにより、当初中間連結部５によって閉塞されていたノズル４先端の口部４ａが開放される。
【００１８】
次に、図２（ａ）及び図２（ｂ）に示すように、中間連結部５とキャップ６の開口部６ｂとの接続部分にある括れ部８を手指でもって折る（もしくは捻る）ようにして切断する。このとき、一方の手指でフランジ部６ａを把持し、他方の手指でフランジ部５ｃを把持し、互いに反対方向に捩じることで中間連結部５とキャップ６とは容易に分離される。これにより、当初中間連結部５によって閉塞されていたキャップ６の開口部６ｂが開放される。
【００１９】
使用後において、チューブ本体２内にチョコレートが残っている場合には、キャップ６の開口部６ｂ側をチューブ本体２のノズル４先端に被せることで当該ノズル４の口部４ａは密封状となって塞いでおくことができる。
【００２０】
次に、食品押出式チューブ容器の変形例について説明する。なお、本変形例において、上記した本実施形態における構成と同じ部分には同一の符号を付して、その詳細な説明を省略または簡略化する。
【００２１】
本変形例においては、上記中間連結部５を使用する替わりに、チューブ本体２のノズル４先端の口部４ａにキャップ６０のみが直接接続されている。すなわち、図３（ａ）に示すように、キャップ６０は、略球状の頭部６０ａと先端が円錐状に尖った円柱栓部６０ｂとからなり、この頭部６０ａの周側面一部がノズル４先端の口部４ａを塞いでいる。この場合、円柱栓部６０ｂの外径は、チューブ本体２のノズル４先端の口部４ａの内径と略同じサイズに設定されている。なお、これらチューブ本体２、キャップ６０は合成樹脂のモールド成形によって同時一体となって形成されるものである。
【００２２】
使用に際し、図３（ｂ）に示すように、チューブ本体２のノズル４先端の口部４ａとキャップ６０の頭部６０ａとの接続部分にある第１括れ部７０を手指でもって折る（もしくは捻る）ようにして切断する。これにより、当初頭部６０ａによって閉塞されていたノズル４先端の口部４ａが開放される。
【００２３】
使用後において、チューブ本体２内にチョコレートが残っている場合には、図３（ｃ）及び図３（ｄ）に示すように、キャップ６０の円柱栓部６０ｂ側（円錐状に尖った先端側）をチューブ本体２のノズル４先端の口部４ａ内に挿し込むことで当該口部４ａは密封状となって塞いでおくことができる。
【００２４】
次に、食品押出式チューブ容器の他の変形例について説明する。なお、本変形例において、上記した本実施形態における構成と同じ部分には同一の符号を付して、その詳細な説明を省略または簡略化する。
【００２５】
本変形例においては、図４（ａ）に示すように、チューブ本体２のノズル４先端の口部４ａに第１括れ部７０を介してキャップ６１が連設されている。このキャップ６１は、略球状の頭部５１ａと先端が円錐状（楔形）に尖った楔型栓部６１ｂとからなり、頭部５１ａの外周面には、薄片状のフランジ部６１ａが水平方向に形成されている。いわゆるこの他の変形例では、上記した本実施形態の中間連結部５自体に、上記変形例の栓部６０ｂ（但し、先端円錐型円柱の替わりに楔形）を一体成形させた折衷式タイプである。
【００２６】
使用に際し、図４（ｂ）に示すように、チューブ本体２のノズル４先端の口部４ａとキャップ６１の頭部５１ａとの接続部分にある第１括れ部７０を、フランジ部６１ａを手指で捻るようにして切断する。これにより、当初頭部５１ａによって閉塞されていたノズル４先端の口部４ａが開放される。
【００２７】
使用後において、チューブ本体２内にチョコレートが残っている場合には、図４（ｃ）及び図４（ｄ）に示すように、キャップ６１の楔型栓部６１ｂ側をチューブ本体２のノズル４先端の口部４ａ内に挿し込むことで当該口部４ａは密封状となって塞いでおくことができる。
【産業上の利用可能性】
【００２８】
本考案に係る食品押出式チューブ容器は、上記したチョコレート等の如き常温で固形で加熱して半固形のペースト状となる甘味菓子類の容器として使用されるものに限らず、例えばジャム・クリーム・マヨネーズ・ソース・ドレッシング・味噌等の粘性のある調味食材や、さらには加熱して軟化する種々の食材等の容器として使用する等、その他様々な用途に応用しても良い。
【符号の説明】
【００２９】
１        食品押出式チューブ容器
２        チューブ本体
２ａ      スカート状筒部
３        中空管部
３ａ      逆止弁
４        ノズル
４ａ      口部
５        中間連結部
５ａ      小球部
５ｂ      円錐部
５ｃ      フランジ部
６        キャップ
６ａ      フランジ部
６ｂ      開口部
７        第１括れ部
８        第２括れ部
５１ａ    頭部
６０      キャップ
６０ａ    頭部
６０ｂ    円柱栓部
６１ａ    フランジ部
７０      第１括れ部
８０      第２括れ部
【図１】
0003198272.tif 000003
【図２】
0003198272.tif 000004
【図３】
0003198272.tif 000005
【図４】
0003198272.tif 000006